【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
画像形成済みのシートを受け入れ、同シートの進行方向を反転させて排出するシート反転部を有し、
前記シート反転部は、前記シートを受け入れて搬送する第１の部分と、第１の部分を通過した前記シートの進行方向を反転させる第２の部分と、第２の部分を経た前記シートを、第１の部分の上方に位置し同シートに所定の後処理を施す後処理部に導く第１の搬送経路と、第２の部分を経た前記シートを、前記後処理部に導くことなく同後処理部の上方に排出する、第１の部分の上方に位置する第２の搬送経路とを有する、画像形成装置に着脱自在のシート反転装置。
【請求項２】
シートに画像形成を行う画像形成部と、請求項１記載のシート反転装置と、前記シート反転部を経た前記シートに所定の後処理を施す前記後処理部とを有し、前記シート反転部を前記画像形成部の上方又は下方に設けた画像形成装置。
【請求項３】
シートに画像形成を行う画像形成部と、画像形成済みのシートを受け入れ、同シートの進行方向を反転させて排出するシート反転部と、前記シート反転部を経た前記シートに所定の後処理を施す後処理部とを有し、
前記シート反転部は、前記シートを受け入れて搬送する第１の部分と、第１の部分を通過した前記シートの進行方向を反転させる第２の部分と、第２の部分を経た前記シートを第１の部分の上方に位置する前記後処理部に導く第１の搬送経路と、第２の部分を経た前記シートを、前記後処理部に導くことなく同後処理部の上方に排出する、第１の部分の上方に位置する第２の搬送経路とを有し、前記シート反転部を前記画像形成部の上方又は下方に設けた画像形成装置。
【請求項４】
請求項２または３記載の画像形成装置において、
前記後処理部は、前記画像形成部の上方又は下方のうち、前記シート反転部を設けた側に配設されていることを特徴とする画像形成装置。
【請求項５】
請求項４記載の画像形成装置において、
前記後処理部は、前記シート反転経路から受け入れた前記シートの進行方向を維持したまま、画像形成装置手前側に同シートを排出することを特徴とする画像形成装置。
【請求項６】
請求項４または５記載の画像形成装置において、
前記後処理部は、画像形成装置に対して着脱自在であることを特徴とする画像形成装置。
【請求項７】
請求項６記載の画像形成装置において、
装着する前記後処理部を、機能の異なる複数のタイプから選択可能であることを特徴とする画像形成装置。
【請求項８】
請求項６または７記載の画像形成装置において、
複数の前記後処理部を、互いに連結した状態となるように同時に装着可能であることを特徴とする画像形成装置。
【請求項９】
請求項８記載の画像形成装置において、
前記後処理部を装着するときに同後処理部をガイドするガイド手段を有することを特徴とする画像形成装置。
【請求項１０】
請求項８または９記載の画像形成装置において、
複数の前記後処理部の連結の順序が任意であることを特徴とする画像形成装置。
【請求項１１】
請求項４ないし１０の何れか１つに記載の画像形成装置において、
前記シート反転部が、前記後処理部の駆動を行う駆動源を有することを特徴とする画像形成装置。
【請求項１２】
請求項４ないし１１の何れか１つに記載の画像形成装置において、
前記シート反転部が、前記シートを前記後処理部に導く第１の搬送経路と、前記シートを前記後処理部の上方に導く第２の搬送経路とを有し、前記後処理部の上面が排紙トレイであることを特徴とする画像形成装置。
【請求項１３】
請求項４ないし１１の何れか１つに記載の画像形成装置において、
原稿画像の読み取りを行う原稿読取部を有し、この原稿読取部を、前記シート反転部および前記画像形成部の上方に設けたことを特徴とする画像形成装置。
【請求項１４】
請求項２ないし１３の何れか１つに記載の画像形成装置に用いる前記後処理部からなり、機能の異なる複数のタイプがある後処理装置。
【請求項１５】
請求項１４記載の後処理装置において、
他の前記後処理部に接続するための電装接続部が各タイプで互換性を有することを特徴とする後処理装置。
【請求項１６】
請求項１４または１５記載の後処理装置において、
他の前記後処理部のための電装パス用の配線を有することを特徴とする後処理装置。
【手続補正２】
【補正対象書類名】明細書
【補正対象項目名】００１６
【補正方法】変更
【補正の内容】
【００１６】
上記目的を達成するため、請求項１記載の発明は、画像形成済みのシートを受け入れ、同シートの進行方向を反転させて排出するシート反転部を有し、前記シート反転部は、前記シートを受け入れて搬送する第１の部分と、第１の部分を通過した前記シートの進行方向を反転させる第２の部分と、第２の部分を経た前記シートを、第１の部分の上方に位置し同シートに所定の後処理を施す後処理部に導く第１の搬送経路と、第２の部分を経た前記シートを、前記後処理部に導くことなく同後処理部の上方に排出する、第１の部分の上方に位置する第２の搬送経路とを有する、画像形成装置に着脱自在のシート反転装置にある。
【手続補正３】
【補正対象書類名】明細書
【補正対象項目名】００１７
【補正方法】変更
【補正の内容】
【００１７】
請求項２記載の発明は、シートに画像形成を行う画像形成部と、請求項１記載のシート反転装置と、前記シート反転部を経た前記シートに所定の後処理を施す前記後処理部とを有し、前記シート反転部を前記画像形成部の上方又は下方に設けた画像形成装にある。
【手続補正４】
【補正対象書類名】明細書
【補正対象項目名】００１８
【補正方法】変更
【補正の内容】
【００１８】
請求項３記載の発明は、シートに画像形成を行う画像形成部と、画像形成済みのシートを受け入れ、同シートの進行方向を反転させて排出するシート反転部と、前記シート反転部を経た前記シートに所定の後処理を施す後処理部とを有し、前記シート反転部は、前記シートを受け入れて搬送する第１の部分と、第１の部分を通過した前記シートの進行方向を反転させる第２の部分と、第２の部分を経た前記シートを第１の部分の上方に位置する前記後処理部に導く第１の搬送経路と、第２の部分を経た前記シートを、前記後処理部に導くことなく同後処理部の上方に排出する、第１の部分の上方に位置する第２の搬送経路とを有し、前記シート反転部を前記画像形成部の上方又は下方に設けた画像形成装置にある。
【手続補正５】
【補正対象書類名】明細書
【補正対象項目名】００１９
【補正方法】変更
【補正の内容】
【００１９】
請求項４記載の発明は、請求項２または３記載の画像形成装置において、前記後処理部は、前記画像形成部の上方又は下方のうち、前記シート反転部を設けた側に配設されていることを特徴とする。
【手続補正６】
【補正対象書類名】明細書
【補正対象項目名】００２９
【補正方法】変更
【補正の内容】
【００２９】
請求項１４記載の発明は、請求項２ないし１３の何れか１つに記載の画像形成装置に用いる前記後処理部からなり、機能の異なる複数のタイプがある後処理装置にある。
【手続補正７】
【補正対象書類名】明細書
【補正対象項目名】００３２
【補正方法】変更
【補正の内容】
【００３２】
本発明は、画像形成済みのシートを受け入れ、同シートの進行方向を反転させて排出するシート反転部を有し、前記シート反転部は、前記シートを受け入れて搬送する第１の部分と、第１の部分を通過した前記シートの進行方向を反転させる第２の部分と、第２の部分を経た前記シートを、第１の部分の上方に位置し同シートに所定の後処理を施す後処理部に導く第１の搬送経路と、第２の部分を経た前記シートを、前記後処理部に導くことなく同後処理部の上方に排出する、第１の部分の上方に位置する第２の搬送経路とを有する、画像形成装置に着脱自在のシート反転装置にあるので、設置面積の増大を防止ないし抑制しつつ、画像形成済みのシートの進行方向の反転を行って排出することができ、またシートの取り出し性を向上することを可能とし得るシート反転装置を提供することができる。
【手続補正８】
【補正対象書類名】明細書
【補正対象項目名】００３３
【補正方法】変更
【補正の内容】
【００３３】
本発明は、シートに画像形成を行う画像形成部と、請求項１記載のシート反転装置と、前記シート反転部を経た前記シートに所定の後処理を施す前記後処理部とを有し、前記シート反転部を前記画像形成部の上方又は下方に設けた画像形成装にあるので、設置面積の増大を防止ないし抑制しつつ、画像形成済みのシートの進行方向の反転を行って排出することができ、また画像形成済みのシートに対して所定の後処理を施すことができるとともに、シートの取り出し性を向上することを可能とし得る画像形成装置を提供することができる。
【手続補正９】
【補正対象書類名】明細書
【補正対象項目名】００３４
【補正方法】変更
【補正の内容】
【００３４】
本発明は、シートに画像形成を行う画像形成部と、画像形成済みのシートを受け入れ、同シートの進行方向を反転させて排出するシート反転部と、前記シート反転部を経た前記シートに所定の後処理を施す後処理部とを有し、前記シート反転部は、前記シートを受け入れて搬送する第１の部分と、第１の部分を通過した前記シートの進行方向を反転させる第２の部分と、第２の部分を経た前記シートを第１の部分の上方に位置する前記後処理部に導く第１の搬送経路と、第２の部分を経た前記シートを、前記後処理部に導くことなく同後処理部の上方に排出する、第１の部分の上方に位置する第２の搬送経路とを有し、前記シート反転部を前記画像形成部の上方又は下方に設けた画像形成装置にあるので、設置面積の増大を防止ないし抑制しつつ、画像形成済みのシートの進行方向の反転を行って排出することができ、また画像形成済みのシートに対して所定の後処理を施すことができるとともに、シートの取り出し性を向上することを可能とし得る画像形成装置を提供することができる。
【手続補正１０】
【補正対象書類名】明細書
【補正対象項目名】００３５
【補正方法】変更
【補正の内容】
【００３５】
前記後処理部は、前記画像形成部の上方又は下方のうち、前記シート反転部を設けた側に配設されていることとすれば、設置面積の増大を防止ないし抑制しつつ、画像形成済みのシートの進行方向の反転を行って排出することができ、また画像形成済みのシートに対して所定の後処理を施すことができるとともに、シートの取り出し性を向上することを可能とし得る画像形成装置を提供することができる。